(57)【要約】【課題】  製造コストを大幅に低減させることができるようになると共に、軽量コンパクト化が可能で、あらゆる場所に広範囲に適用することができる水処理具の提供。【解決手段】  可塑性を有する合成樹脂製フィルム（耐水性を有する非金属ベース）１の表面にイオン化傾向の大きい又は／及び電位の低い方の第２の金属３がメッキされ、該第２の金属３の表面にイオン化傾向の小さい又は／及び電位の高い方の第１の金属２がメッキされ、該第２の金属３の表面に粘着剤層５が形成されると共に、該粘着剤層５の表面に剥離紙６が貼着され、合成樹脂製フィルム１、第２の金属３及び第１の金属２を貫く多数の孔４が形成されることにより、第２の金属３と第１の金属２の接触境界部分が多数形成されている構造となっている。【選択図】        図６
2006102702.tif 000002
【特許請求の範囲】
【請求項１】
イオン化傾向（電位）の異なる２種類の異種金属を互いに密着させると共に該２種類の異種金属の接触境界部分が水と接触する状態で露出形成されている構成とすることにより水中において該接触境界部分で局部電池が形成されてイオン化傾向の大きい又は／及び電位の低い方の金属が酸化する際に水中に金属イオンを溶出させて水に所定の機能を付加する水処理具であって、
前記２種類の異種金属が共に耐水性を有する非金属ベースの表面に順次重ねてメッキされることにより互いに密着され、所定の手段により前記２種類の異種金属の接触境界部分が形成されていること特徴とする水処理具。
【請求項２】
前記非金属ベースが可塑性を有するフィルムで構成され、
該フィルムの表面にイオン化傾向の小さい又は／及び電位の高い方の第１の金属がメッキされ、
該第１の金属の表面にイオン化傾向の大きい又は／及び電位の低い方の第２の金属がメッキされ、
少なくとも前記第２の金属に多数の孔が形成されることにより、前記２種類の異種金属の接触境界部分が多数形成されていることを特徴とする請求項１に記載の水処理具。
【請求項３】
前記フィルムにおけるメッキ面とは反対側の面に粘着剤層が形成されていることを特徴とする請求項２に記載の水処理具。
【請求項４】
前記非金属ベースが可塑性を有するフィルムで構成され、
該フィルムの表面にイオン化傾向の大きい又は／及び電位の低い方の第２の金属がメッキされ、
該第２の金属の表面にイオン化傾向の小さい又は／及び電位の高い方の第１の金属がメッキされ、
該第１の金属の表面に粘着剤層が形成され、
前記フィルム、第２の金属及び第１の金属を貫く多数の孔が形成されることにより、前記２種類の異種金属の接触境界部分が多数形成されていることを特徴とする請求項１に記載の水処理具。
【請求項５】
前記第２の金属及び第１の金属が前記フィルムの少なくとも外周縁部を残してメッキされ、
メッキされてない前記フィルムの外周縁部を含めて前記第１の金属の表面に粘着剤層が形成されていることを特徴とする請求項４に記載の水処理具。
【請求項６】
前記非金属ベースが可塑性を有する第１のフィルムで構成され、
該第１のフィルムの表面にイオン化傾向の大きい又は／及び電位の低い方の第２の金属がメッキされ、
該第２の金属の表面にイオン化傾向の小さい又は／及び電位の高い方の第１の金属がメッキされ、
該第１の金属の表面に可塑性を有する第２のフィルムが接着され、
該第２のフィルムの表面に粘着剤層が形成され、
少なくとも前記第１のフィルム、第２の金属及び第１の金属を貫く多数の孔が形成されることにより、前記２種類の異種金属の接触境界部分が多数形成されていることを特徴とする請求項１に記載の水処理具。
【請求項７】
前記第１のフィルム及び第２のフィルムが熱溶着性樹脂フィルムで構成され、
前記第２の金属及び第１の金属が前記第１のフィルムの少なくとも外周縁部を残してメッキされ、
メッキされてない前記第１のフィルムの外周縁部と第２のフィルムの外周縁部とが熱溶着により互いに接着されていることを特徴とする請求項６に記載の水処理具。
【請求項８】
前記非金属ベースが可塑性を有する細線で構成され、
該細線の表面にイオン化傾向の小さい又は／及び電位の高い方の第１の金属がメッキされ、
該第１の金属の表面にイオン化傾向の大きい又は／及び電位の低い方の第２の金属がメッキされ、
少なくとも前記第２の金属には第１の金属が露出した多数の切欠部が形成されることにより、前記２種類の異種金属の接触境界部分が多数形成されていることを特徴とする請求項１に記載の水処理具。
【請求項９】
前記非金属ベースが可塑性を有する細線で構成され、
該細線の表面にイオン化傾向の大きい又は／及び電位の低い方の第２の金属がメッキされ、
該第２の金属の表面にイオン化傾向の小さい又は／及び電位の高い方の第１の金属がメッキされ、
少なくとも前記第１の金属には第２の金属が露出した多数の切欠部が形成されることにより、前記２種類の異種金属の接触境界部分が多数形成されていることを特徴とする請求項１に記載の水処理具。
【請求項１０】
前記２種類の異種金属のうちイオン化傾向が大きい電位の低い方の金属が銅で構成されていることを特徴とする請求項１〜９のいずれか１項に記載の水処理具。
【請求項１１】
前記２種類の異種金属のうちイオン化傾向が大きい電位の低い方の金属が銀で構成されていることを特徴とする請求項１〜９のいずれか１項に記載の水処理具。
【請求項１２】
前記２種類の異種金属のうちイオン化傾向が大きい電位の低い方の金属が錫で構成されていることを特徴とする請求項１〜９のいずれか１項に記載の水処理具。
【請求項１３】
前記２種類の異種金属のうちイオン化傾向が大きい電位の低い方の金属が鉄で構成されていることを特徴とする請求項１〜９のいずれか１項に記載の水処理具。
【請求項１４】
前記２種類の異種金属のうちイオン化傾向が大きい電位の低い方の金属が亜鉛で構成されていることを特徴とする請求項１〜９のいずれか１項に記載の水処理具。
【発明の詳細な説明】
【技術分野】
【０００１】
本発明は、イオン化傾向（電位）の異なる２種類の異種金属を互いに密着させると共に該２種類の異種金属の接触境界部分が水と接触する状態で露出形成されている構成とすることにより水中において該接触境界部分で局部電池が形成されてイオン化傾向の大きい又は／及び電位の低い方の金属が酸化する際に水中に金属イオンを溶出させて水に所定の機能を付加する水処理具に関する。
【背景技術】
【０００２】
この種の水処置具としては、貴なる金属を母材として劣なる金属をメッキした構造のものを水中に浸してイオン作用を促進させるようにしたものがある（例えば、特許文献１参照）。
【０００３】
【特許文献１】特開２０００−２４６７５号公報
【発明の開示】
【発明が解決しようとする課題】
【０００４】
しかしながら、上述の従来例にあっては、貴なる金属よりなる母材の表面に劣なる金属をメッキした構造であるため、母材を肉薄にするのには限界があり、このため、外形が大きくかつ重量が重くなるため、使用箇所が制限されると共に、特に母材の金属に金や白金を用いる必要がある場合等にあっては、製品コストが極めて高くなるという問題があった。
【０００５】
本発明は、かかる従来の問題点を解決するためになされたものであって、その目的とするところは、製造コストを大幅に低減させることができるようになると共に、軽量コンパクト化が可能で、あらゆる場所に広範囲に適用することができる水処理具を提供することにある。
【課題を解決するための手段】
【０００６】
前記目的を達成するための手段として、請求項１記載の水処理具は、イオン化傾向（電位）の異なる２種類の異種金属を互いに密着させると共に該２種類の異種金属の接触境界部分が水と接触する状態で露出形成されている構成とすることにより水中において該接触境界部分で局部電池が形成されてイオン化傾向の大きい又は／及び電位の低い方の金属が酸化する際に水中に金属イオンを溶出させて水に所定の機能を付加する水処理具であって、前記２種類の異種金属が共に耐水性を有する非金属ベースの表面に順次重ねてメッキされることにより互いに密着され、所定の手段により前記２種類の異種金属の接触境界部分が形成されていること特徴とする手段とした。
【０００７】
請求項２記載の水処理具は、請求項１に記載の水処理具において、前記非金属ベースが可塑性を有するフィルムで構成され、該フィルムの表面にイオン化傾向の小さい又は／及び電位の高い方の第１の金属がメッキされ、該第１の金属の表面にイオン化傾向の大きい又は／及び電位の低い方の第２の金属がメッキされ、少なくとも前記第２の金属に多数の孔が形成されることにより、前記２種類の異種金属の接触境界部分が多数形成されていることを特徴とする手段とした。
【０００８】
請求項３記載の水処理具は、請求項２に記載の水処理具において、前記フィルムにおけるメッキ面とは反対側の面に粘着剤層が形成されていることを特徴とする手段とした。
【０００９】
請求項４記載の水処理具は、請求項１に記載の水処理具において、前記非金属ベースが可塑性を有するフィルムで構成され、該フィルムの表面にイオン化傾向の大きい又は／及び電位の低い方の第２の金属がメッキされ、該第２の金属の表面にイオン化傾向の小さい又は／及び電位の高い方の第１の金属がメッキされ、該第１の金属の表面に粘着剤層が形成され、前記フィルム、第２の金属及び第１の金属を貫く多数の孔が形成されることにより、前記２種類の異種金属の接触境界部分が多数形成されていることを特徴とする手段とした。
【００１０】
請求項５記載の水処理具は、請求項４に記載の水処理具において、前記第２の金属及び第１の金属が前記フィルムの少なくとも外周縁部を残してメッキされ、メッキされてない前記フィルムの外周縁部を含めて前記第１の金属の表面に粘着剤層が形成されていることを特徴とする手段とした。
【００１１】
請求項６記載の水処理具は、請求項１に記載の水処理具において、前記非金属ベースが可塑性を有する第１のフィルムで構成され、該第１のフィルムの表面にイオン化傾向の大きい又は／及び電位の低い方の第２の金属がメッキされ、該第２の金属の表面にイオン化傾向の小さい又は／及び電位の高い方の第１の金属がメッキされ、該第１の金属の表面に可塑性を有する第２のフィルムが接着され、該第２のフィルムの表面に粘着剤層が形成され、少なくとも前記第１のフィルム、第２の金属及び第１の金属を貫く多数の孔が形成されることにより、前記２種類の異種金属の接触境界部分が多数形成されていることを特徴とする手段とした。
【００１２】
請求項７記載の水処理具は、請求項６に記載の水処理具において、前記第２のフィルム及び第１のフィルムが熱溶着性樹脂フィルムで構成され、前記第２の金属及び第１の金属が前記第１のフィルムの少なくとも外周縁部を残してメッキされ、メッキされてない前記第１のフィルムの外周縁部と第２のフィルムの外周縁部とが熱溶着により互いに接着されていることを特徴とする手段とした。
【００１３】
請求項８記載の水処理具は、請求項１に記載の水処理具において、前記非金属ベースが可塑性を有する細線で構成され、該細線の表面にイオン化傾向の小さい又は／及び電位の高い方の第１の金属がメッキされ、該第１の金属の表面にイオン化傾向の大きい又は／及び電位の低い方の第２の金属がメッキされ、少なくとも前記第２の金属には第１の金属が露出した多数の切欠部が形成されることにより、前記２種類の異種金属の接触境界部分が多数形成されていることを特徴とする手段とした。
【００１４】
請求項９記載の水処理具は、請求項１に記載の水処理具において、前記非金属ベースが可塑性を有する細線で構成され、該細線の表面にイオン化傾向の大きい又は／及び電位の低い方の第２の金属がメッキされ、該第２の金属の表面にイオン化傾向の小さい又は／及び電位の高い方の第１の金属がメッキされ、少なくとも前記第１の金属には第２の金属が露出した多数の切欠部が形成されることにより、前記２種類の異種金属の接触境界部分が多数形成されていることを特徴とする手段とした。
【００１５】
請求項１０記載の水処理具は、請求項１〜９のいずれか１項に記載の水処理具において、前記２種類の異種金属のうちイオン化傾向が大きい電位の低い方の金属が銅で構成されていることを特徴とする手段とした。
【００１６】
請求項１１記載の水処理具は、請求項１〜９のいずれか１項に記載の水処理具において、前記２種類の異種金属のうちイオン化傾向が大きい電位の低い方の金属が銀で構成されていることを特徴とする手段とした。
【００１７】
請求項１２記載の水処理具は、請求項１〜９のいずれか１項に記載の水処理具において、前記２種類の異種金属のうちイオン化傾向が大きい電位の低い方の金属が錫で構成されていることを特徴とする手段とした。
【００１８】
請求項１３記載の水処理具は、請求項１〜９のいずれか１項に記載の水処理具において、前記２種類の異種金属のうちイオン化傾向が大きい電位の低い方の金属が鉄で構成されていることを特徴とする手段とした。
【００１９】
請求項１４記載の水処理具は、請求項１〜９のいずれか１項に記載の水処理具において、前記２種類の異種金属のうちイオン化傾向が大きい電位の低い方の金属が亜鉛で構成されていることを特徴とする手段とした。
【発明の効果】
【００２０】
本発明請求項１記載の金属イオン水の製造方法では、上述のように、前記２種類の異種金属が共に耐水性を有する非金属ベースの表面に順次重ねてメッキされることにより互いに密着され、所定の手段により２種類の異種金属の接触境界部分が形成されている構成とすることにより、金属イオンの溶出を必要としないイオン化傾向の小さい又は／及び電位の高い方の金属の使用量を最小限度に少なくすることができ、これにより、製造コストを大幅に低減させることができるようになると共に、軽量コンパクト化が可能で、あらゆる場所に広範囲に適用することができるようになるという効果が得られる。
【００２１】
請求項２記載の水処理具では、上述のように、前記非金属ベースが可塑性を有するフィルムで構成され、該フィルムの表面にイオン化傾向の小さい又は／及び電位の高い方の第１の金属がメッキされ、該第１の金属の表面にイオン化傾向の大きい又は／及び電位の低い方の第２の金属がメッキされ、少なくとも前記第２の金属に多数の孔が形成されることにより、前記２種類の異種金属の接触境界部分が多数形成されている構成としたことにより、全体的に薄く形成することができるため、さらに軽量コンパクト化が可能になると共に、任意の箇所で任意形状に容易に切断することができるため、加工性に優れ、かつ、適用範囲を広げることができるようになるという効果が得られる。
また、フィルムとダブルのメッキ層で構成されるため、針状のもので容易に多数の孔を開けることができるようになる。
【００２２】
請求項３記載の水処理具では、上述のように、前記フィルムにおけるメッキ面とは反対側の面に粘着剤層が形成されている構成とすることにより、可塑性を利用して、任意の箇所に粘着させた状態で使用することができるようになる。
【００２３】
請求項４記載の水処理具では、上述のように、前記非金属ベースが可塑性を有するフィルムで構成され、該フィルムの表面にイオン化傾向の大きい又は／及び電位の低い方の第２の金属がメッキされ、該第２の金属の表面にイオン化傾向の小さい又は／及び電位の高い方の第１の金属がメッキされ、該第１の金属の表面に粘着剤層が形成され、フィルム、第２の金属及び第１の金属を貫く多数の孔が形成されることにより、２種類の異種金属の接触境界部分が多数形成されている構成としたことにより、請求項１〜３とほぼ同様の効果が得られる他に、第１の金属のメッキ面がフィルムで覆われて保護された状態となるため、流れの速い箇所にも使用可能で、耐久性を高めることができるようになるという追加の効果が得られる。
【００２４】
請求項５記載の水処理具では、上述のように、前記第２の金属及び第１の金属がフィルムの少なくとも外周縁部を残してメッキされ、メッキされてないフィルムの外周縁部を含めて前記第１の金属の表面に粘着剤層が形成されている構成としたことにより、請求項１〜４とほぼ同様の効果が得られる他に、少なくともフィルムの外周縁部が直接的に粘着剤層によって粘着箇所に粘着された状態となるため、粘着耐久性を高めることができるようになるという追加の効果が得られる。
【００２５】
請求項６記載の水処理具では、上述のように、前記非金属ベースが可塑性を有する第１のフィルムで構成され、該第１のフィルムの表面にイオン化傾向の大きい又は／及び電位の低い方の第２の金属がメッキされ、該第２の金属の表面にイオン化傾向の小さい又は／及び電位の高い方の第１の金属がメッキされ、該第１の金属の表面に可塑性を有する第２のフィルムが接着され、該第２のフィルムの表面に粘着剤層が形成され、少なくとも第１のフィルム、第２の金属及び第１の金属を貫く多数の孔が形成されることにより、２種類の異種金属の接触境界部分が多数形成されている構成としたことにより、請求項１〜３とほぼ同様の効果が得られる他に、第１の金属のメッキ面が第１のフィルムで覆われて保護された状態となるため、流れの速い箇所にも使用可能で、耐久性を高めることができるようになるという追加の効果が得られる。
【００２６】
請求項７記載の水処理具では、上述のように、前記第２のフィルム及び第１のフィルムが熱溶着性樹脂フィルムで構成され、第２の金属及び第１の金属が第１のフィルムの少なくとも外周縁部を残してメッキされ、メッキされてない第１のフィルムの外周縁部と第２のフィルムの外周縁部とが熱溶着により互いに接着されている構成としたことにより、請求項１〜３、６とほぼ同様の効果が得られる他に、一体性が高められ、これにより、特に流れの速い箇所での使用における耐久性をさらに高めることができるようになるという追加の効果が得られる。
【００２７】
請求項８記載の水処理具では、上述のように、前記非金属ベースが可塑性を有する細線で構成され、該細線の表面にイオン化傾向の小さい又は／及び電位の高い方の第１の金属がメッキされ、該第１の金属の表面にイオン化傾向の大きい又は／及び電位の低い方の第２の金属がメッキされ、少なくとも第２の金属には第１の金属が露出した多数の切欠部が形成されることにより、２種類の異種金属の接触境界部分が多数形成されている構成としたことにより、細線の太さを任意に設定し、これを他の不織布に混ぜ込んだり、または、織り布に織り込み、さらには、縒り糸やロープ等に縒り込むことが可能になり、その用途を広げることができるようになるという追加の効果が得られる。
【００２８】
請求項９記載の水処理具では、上述のように、前記非金属ベースが可塑性を有する細線で構成され、該細線の表面にイオン化傾向の大きい又は／及び電位の低い方の第２の金属がメッキされ、該第２の金属の表面にイオン化傾向の小さい又は／及び電位の高い方の第１の金属がメッキされ、少なくとも第１の金属には第２の金属が露出した多数の切欠部が形成されることにより、２種類の異種金属の接触境界部分が多数形成されている構成としたことにより、前記請求項８と同様の効果が得られる他に、電解水となる海水に適用される場合に、金属イオンが溶出される第２の金属が第１の金属の内側になるように配置されるため、切欠部により金属イオンの溶出量を抑える方向に調整することができるようになる。
【００２９】
請求項１０記載の水処理具では、上述のように、前記２種類の異種金属のうちイオン化傾向が大きい電位の低い方の金属が銅で構成されることにより、水中に銅イオンを溶出させることができるようになる。
【００３０】
請求項１１記載の水処理具では、上述のように、前記２種類の異種金属のうちイオン化傾向が大きい電位の低い方の金属が銀で構成されることにより、水中に銀イオンを溶出させることができるようになる。
【００３１】
請求項１２記載の水処理具では、上述のように、前記２種類の異種金属のうちイオン化傾向が大きい電位の低い方の金属が錫で構成されることにより、水中に錫イオンを溶出させることができるようになる。
【００３２】
請求項１３記載の水処理具では、上述のように、前記２種類の異種金属のうちイオン化傾向が大きい電位の低い方の金属が鉄で構成されることにより、水中に鉄イオンを溶出させることができるようになる。
【００３３】
請求項１４記載の水処理具では、上述のように、前記２種類の異種金属のうちイオン化傾向が大きい電位の低い方の金属が亜鉛で構成されることにより、水中に亜鉛イオンを溶出させることができるようになる。
【発明を実施するための最良の形態】
【００３４】
以下、本発明の実施例を詳細に説明する。
（実施例１）
この実施例１の水処理具は、図１（一部切欠平面図）および図２（図１のＡ−Ａ線における拡大断面図）に示すように、可塑性を有する合成樹脂製フィルム（耐水性を有する非金属ベース）１の表面にイオン化傾向の小さい又は／及び電位の高い方の第１の金属２がメッキされ、該第１の金属２の表面にイオン化傾向の大きい又は／及び電位の低い方の第２の金属３がメッキされると共に、針状の孔開け具又はパンチング装置で前記合成樹脂製フィルム１と、第１の金属２と、第２の金属３とを貫通する孔４が多数形成されることにより、第１の金属２と第２の金属３との接触境界部分が多数形成されている構造となっている。
【００３５】
この実施例１の水処理具では、上述のように構成されるため、この水処理具を所定の水中に没した状態とすることにより、第１の金属２と第２の金属３との接触境界部分において、局部電池が形成され、第１の金属２が酸化する際に水中に金属イオンが効率的に溶出される。
従って、この実施例１によれば、第１の金属２と第２の金属３とを共にメッキで構成させるようにしたことで、金属イオンの溶出を必要としないイオン化傾向の小さい又は／及び電位の高い方の第１の金属２の使用量を最小限度に少なくすることができ、これにより、製造コストを大幅に低減させることができるようになると共に、軽量コンパクト化が可能で、あらゆる場所に広範囲に適用することができるようになるという効果が得られる。
【００３６】
なお、前記第１の金属２としては、例えば以下に列挙する金属があり、それぞれの金属より溶出される金属イオンによる作用・効果は以下の通りである。
（１）銅（Ｃｕ）
銅イオンの溶出により、殺菌作用及び殺藻作用が得られる。
従って、この水処理具を花瓶や花器等に収容された水に適用することにより、花瓶や花器内等の水中における雑菌の繁殖を防止し、水中に没した切り花の茎の腐敗が抑制されると共に、雑菌その他の不純物が切り花等の導管に詰まることで水の吸い上げを悪くして切り花等を早期に枯らすことが抑制され、その結果、切り花等を長期間に亙り生きの良い状態に維持させるという延命機能が発揮される。
また、この水処理具を風呂の浴層やプール等に収容される水に適用することにより、レジネオラ菌等の菌類の発生を防止することができるようになるし、循環水管路やトイレのロータンク内、加湿器のタンク内や水溜め部分等に適用することにより、雑菌の繁殖を防止できるようになる。さらに、水を霧状態で噴出させる超音波式加湿器に適用することにより、銅イオンを含んだ霧を広範囲に散布させることができ、これにより、畜産場、農場、林業、一般住宅、工場等、任意の場所において各種細菌や病原菌を死滅させることが可能になる。
また、この水処理具を水槽に適用することにより、透明な水層壁面につく藻類の発生を防止することができるようになるし、冷却塔やクーリングタワー等に適用することにより、藻の付着による定期的な清掃を回避できるようになる。
また、この水処理具を池、湖、閉鎖期間中のプール等のように流れや入れ替わりのない水に適用することで、殺藻作用により、あおこの発生を防止することができるようになる。
また、この水処理具を、木酢液や竹酢液に投入することにより、銅イオンを含む木酢液や竹酢液を得ることができる。
【００３７】
（２）銀（Ａｇ）
銀イオンの溶出により、銅イオンより強い殺菌作用が得られるため、銅イオンと同様の用途がある。
【００３８】
（３）錫（Ｓｎ）
錫イオンの溶出により、防腐作用及び清浄作用が得られる。
従って、この水処理具を花瓶や花器等に収容された水に適用することにより、花瓶や花器内等に収容された水の腐敗が大幅に遅延され、水中に没した切り花の茎の腐敗が抑制されると共に、腐敗による不純物が切り花等の導管に詰まることで水の吸い上げを悪くして切り花等を早期に枯らすことが抑制され、その結果、切り花等を長期間に亙り生きの良い状態に維持させるという延命機能が発揮される。
また、水層に適用することにより、長期に亙って水をきれいな状態に維持させることができるようになる。
【００３９】
（４）鉄（Ｆｅ）
鉄イオンが永続かつ効率的に溶出されるため、例えば、この水処理具を川、湖、海水等に適用することにより、溶出された鉄イオンにより、水生動植物の栄養素となって、これらを活性化させることができるようになると共に、鉄イオンが水中の燐と結合して燐酸鉄となり、その結果、水中に含まれる燐の固定化を効果例としてあげることができる。
【００４０】
（５）亜鉛（Ｚｎ）
亜鉛イオンが永続かつ効率的に溶出されるため、例えば、この水処理具を飲料水に適用することにより、現在摂取量が不足がちといわれている亜鉛を容易に摂取することができるようになる。さらに、この水処理具を、例えば、クーリングタワーやプラスチック成形機の冷却システム等の吸水・排水配管等に適用することにより、配管内の水垢やカルシウム等のゴミ成分を低コストにて除去することができるようになる。
【００４１】
（実施例２）
この実施例２の水処理具は、図３（一部切欠平面図）および図４（図３のＢ−Ｂ線における拡大断面図）に示すように、前記実施例１の水処理具において、前記合成樹脂製フィルム１におけるメッキ面とは反対側の面に粘着剤層５が形成されると共に、該粘着剤層５の表面に剥離紙６が貼着されている点が、前記実施例１とは相違したものである。
従って、この実施例２によれば、前記実施例１とほぼ同様の効果が得られる他に、その可塑性を利用して、例えば、船底や水が収容された容器の内面等、任意の箇所に安定よく粘着させた状態で使用することができるようになる。
【００４２】
（実施例３）
この実施例３の水処理具は、図５（一部切欠平面図）および図６（図５のＣ−Ｃ線における拡大断面図）に示すように、可塑性を有する合成樹脂製フィルム（耐水性を有する非金属ベース）１の表面にイオン化傾向の大きい又は／及び電位の低い方の第２の金属３がメッキされ、該第２の金属３の表面にイオン化傾向の小さい又は／及び電位の高い方の第１の金属２がメッキされ、該第２の金属３の表面に粘着剤層５が形成されると共に、該粘着剤層５の表面に剥離紙６が貼着され、前記合成樹脂製フィルム１、第２の金属３及び第１の金属２を貫く多数の孔４が形成されることにより、第２の金属３と第１の金属２の接触境界部分が多数形成されている構造となっている。
従って、この実施例３によれば、前記実施例１、２とほぼ同様の効果が得られる他に、第１の金属２のメッキ面が合成樹脂製フィルム１で覆われて保護された状態となるため、例えば船底等のように流れの速い箇所にも使用可能で、耐久性を高めることができるようになるという追加の効果が得られる。
【００４３】
（実施例４）
この実施例４の水処理具は、図７（一部切欠平面図）および図８（図７のＤ−Ｄ線における拡大断面図）に示すように、前記第２の金属３及び第１の金属２が合成樹脂製フィルム１の外周縁部及び中間部を格子状に区切る状態で走る帯状部分１ａを残してメッキされ、該メッキされてない合成樹脂製フィルム１の部分を含めて第１の金属２の表面に粘着剤層５が形成され、該粘着剤層５の表面に剥離紙６が貼着されている点が前記実施例３とは相違したものである。
従って、この実施例４によれば、前記実施例３とほぼ同様の効果が得られる他に、少なくとも合成樹脂製フィルム１の外周縁部が直接的に粘着剤層５によって粘着箇所に粘着された状態となるため、粘着耐久性を高めることができるようになるという追加の効果が得られる。
【００４４】
（実施例５）
この実施例５の水処理具は、図９（一部切欠平面図）および図１０（図９のＥ−Ｅ線における拡大断面図）に示すように、可塑性を有する第１の合成樹脂製フィルム１の表面にイオン化傾向の大きい又は／及び電位の低い方の第２の金属３がメッキされ、該第２の金属３の表面にイオン化傾向の小さい又は／及び電位の高い方の第１の金属２がメッキされ、該第１の金属２の表面に可塑性を有する第２の合成樹脂フィルム７が接着され、該第２の合成樹脂製フィルム７の表面に粘着剤層５が形成され、該粘着剤層５の表面に剥離紙６が貼着され、前記第１の合成樹脂製フィルム１、第２の金属３及び第１の金属２、第２の合成樹脂製フィルム７を貫く多数の孔４が形成されることにより、第２の金属３と第１の金属２との接触境界部分が多数形成されている構成としている点が前記実施例１〜４とは相違したものである。
従って、この実施例５によれば、前記実施例３とほぼ同様の効果が得られる他に、第２の合成樹脂製フィルム７を設けたことで、粘着剤層５による粘着箇所への固定強度を高めることができる、これにより、耐久性を高めることができるようになるという追加の効果が得られる。
【００４５】
（実施例６）
この実施例６の水処理具は、図１１（一部切欠平面図）および図１２（図１１のＦ−Ｆ線における拡大断面図）に示すように、前記実施例５における第１の合成樹脂製フィルム１及び第２の合成樹脂製フィルム７が熱溶着性樹脂フィルムで構成され、前記第２の金属３及び第１の金２属が前記第１の合成樹脂製フィルム１の外周縁部及び中間部を格子状に区切る状態で走る帯状部分１ａを残してメッキされ、メッキされてない前記第１の合成樹脂製フィルム１の外周縁部を含む帯状部分１ａと第２の合成樹脂製フィルム７の外周縁部を含む帯状部分１ａとの対向部分とが熱溶着により互いに接着されている構成とした点が、前記実施例５とは相違したものである。
従って、前記実施例５とほぼ同様の効果が得られる他に、第１の合成樹脂製フィルム１と第２の合成樹脂製フィルム７との一体性が高められ、これにより、特に流れの速い箇所での使用における耐久性をさらに高めることができるようになるという追加の効果が得られる。
【００４６】
（実施例７）
この実施例７の水処理具は、図１３（一部切欠平面図）および図１４（図１３のＧ−Ｇ線における拡大断面図）に示すように、可塑性を有する合成樹脂製細線（耐水性を有する非金属ベース）１０の表面にイオン化傾向の小さい又は／及び電位の高い方の第１の金属２がメッキされ、該第１の金属２の表面にイオン化傾向の大きい又は／及び電位の低い方の第２の金属３がメッキされ、該第２の金属３にはけがき等によりその一部を削り取って第１の金属２が露出した多数の切欠部８が形成されることにより、第１の金属２と第２の金属３との接触境界部分が多数形成されている構成とした点が、前記実施例１〜６とは相違したものである。
従って、この実施例７によれば、前記実施例１とほぼ同様の効果が得られる他に、細線の太さを任意に設定し、これを他の不織布に混ぜ込んだり、または、織り布に織り込み、さらには、縒り糸やロープ等に縒り込むことが可能になるため、その用途を広げることができるようになるという追加の効果が得られる。
【００４７】
（実施例８）
この実施例８の水処理具は、前記実施例７における第１の金属２と第２の金属４のメッキ順序を入れ替えた点が前記実施例７とは相違したものである。
即ち、この実施例８では、金属イオンが溶出される第２の金属を第１の金属２の内側になるように配置させることによって、電解水となる海水に適用される場合に、切欠部８により金属イオンの溶出量を抑える方向に調整することができるようになる。
【００４８】
以上本発明の実施例を説明してきたが、本発明は上述の実施例に限られるものではなく、発明の要旨を逸脱しない範囲の設計変更等があっても本発明に含まれる。
【００４９】
例えば、実施例では、イオン化傾向の大きい電位の低い第１の金属２として、銅（Ｃｕ）、銀（Ａｇ）、錫（Ｓｎ）、鉄（Ｆｅ）、亜鉛（Ｚｎ）を用いる場合を例にとったが、その他、アルミニウム（Ａｌ）、マグネシウム（Ｍｇ）等、その他の全ての金属を用いることができ、また、それらの合金を用いることもできる。
【００５０】
また、前記実施例２〜６において、粘着剤層５の表面に剥離紙６を貼着させたが、これらの水処理具における第１の合成樹脂製フィルム１の表面を剥離紙の表面と同様にシリコン等でコーティングし、これをテープ状に形成して芯材等に巻回しておくことにより、剥離紙６を省略することができる。
また、実施例１〜６において、第１の金属２と第２の金属３とのメッキ順序を逆にしてもよい。
【図面の簡単な説明】
【００５１】
【図１】実施例１の水処理具を示す一部切欠平面図である。
【図２】図１のＡ−Ａ線における拡大断面図である。
【図３】実施例２の水処理具を示す一部切欠平面図である。
【図４】図３のＢ−Ｂ線における拡大断面図である。
【図５】実施例３の水処理具を示す一部切欠平面図である。
【図６】図５のＣ−Ｃ線における拡大断面図である。
【図７】実施例４の水処理具を示す一部切欠平面図である。
【図８】図７のＤ−Ｄ線における拡大断面図である。
【図９】実施例５の水処理具を示す一部切欠平面図である。
【図１０】図９のＥ−Ｅ線における拡大断面図である。
【図１１】実施例６の水処理具を示す一部切欠平面図である。
【図１２】図１１のＦ−Ｆ線における拡大断面図である。
【図１３】実施例７の水処理具を示す一部切欠平面図である。
【図１４】図１３のＧ−Ｇ線における拡大断面図である。
【符号の説明】
【００５２】
１  第１の合成樹脂製フィルム（耐水性を有する非金属ベース）
１ａ  帯状部分
２  第１の金属
３  第２の金属
４  孔
５  粘着剤層
６  剥離紙
７  第２の合成樹脂製フィルム（耐水性を有する非金属ベース）
８  切欠部
１０  合成樹脂製細線（耐水性を有する非金属ベース）
【図１】
2006102702.tif 000003
【図２】
2006102702.tif 000004
【図３】
2006102702.tif 000005
【図４】
2006102702.tif 000006
【図５】
2006102702.tif 000007
【図６】
2006102702.tif 000008
【図７】
2006102702.tif 000009
【図８】
2006102702.tif 000010
【図９】
2006102702.tif 000011
【図１０】
2006102702.tif 000012
【図１１】
2006102702.tif 000013
【図１２】
2006102702.tif 000014
【図１３】
2006102702.tif 000015
【図１４】
2006102702.tif 000016